(57)【要約】      （修正有）【課題】複数の現像剤を混合した混合現像剤で現像を行う場合に、色の変動を調整可能とする。【解決手段】複数の現像剤が混合された混合現像剤を使用して画像を形成する第１の像形成手段１０ＳＰと、前記混合現像剤に含まれる少なくとも１つの現像剤を使用して画像を形成する第２の像形成手段１０（ＯＲ、ＣＬＲ、Ｙ）と、前記混合現像剤の画像の色を検知する検知手段７０と、前記検知手段の検知結果に基づいて、前記混合現像剤の色が予め定められた色からずれている場合に、前記混合現像剤の画像に、色のずれ量に応じた画像を前記第２の像形成手段１０で形成して重ねるように制御する制御手段１００と、を備える。【選択図】図１
2020086279.tif 000002
【特許請求の範囲】
【請求項１】
複数の現像剤が混合された混合現像剤を使用して画像を形成する第１の像形成手段と、
前記混合現像剤に含まれる少なくとも１つの現像剤を使用して画像を形成する第２の像形成手段と、
前記混合現像剤の画像の色を検知する検知手段と、
前記検知手段の検知結果に基づいて、前記混合現像剤の色が予め定められた色からずれている場合に、前記混合現像剤の画像に、色のずれ量に応じた画像を前記第２の像形成手段で形成して重ねるように制御する制御手段と、
を備えた画像形成システム。
【請求項２】
１台の画像形成装置内に設置された前記第１の像形成手段及び前記第２の像形成手段と、
前記第１の像形成手段で形成された画像と前記第２の像形成手段で形成された画像とが転写される中間転写手段と、
を備え、
前記中間転写手段において、前記色のずれ量に応じた画像が重ねられる請求項１に記載の画像形成システム。
【請求項３】
印刷前に予め測定された前記色のずれ量に基づいて前記第２の像形成手段で画像を形成する請求項１又は２に記載の画像形成システム。
【請求項４】
前記第１の像形成手段を有する第１の画像形成装置と、
前記第２の像形成手段を有し、前記第１の画像形成装置から搬出された媒体が搬入される第２の画像形成装置と、
を備え、
前記第２の画像形成装置において、前記色のずれ量に応じた画像が重ねられる請求項１に記載の画像形成システム。
【請求項５】
前記第１の画像形成装置から搬出される媒体に形成された前記混合現像剤の画像の検知結果に基づいて、前記第２の画像形成装置で画像を形成する請求項４に記載の画像形成システム。
【請求項６】
前記混合現像剤を構成する各色の現像剤に対して、それぞれ設置された前記第２の像形成手段を有する請求項１に記載の画像形成システム。
【請求項７】
前記混合現像剤に含まれる予め定められた特定の色のみに対して設けられた前記第２の像形成手段を有する請求項１に記載の画像形成システム。
【請求項８】
前記混合現像剤を構成する複数の現像剤の中で現像時に消費されにくい現像剤のみに対して設けられた前記第２の像形成手段を有する請求項１に記載の画像形成システム。
【請求項９】
前記消費されにくい現像剤が消費されにくいように前記第１の像形成手段における現像条件を制御する制御部を有する請求項８に記載の画像形成システム。
【請求項１０】
前記混合現像剤を構成する複数の現像剤の中で現像時に消費されやすい現像剤のみに対して設けられた前記第２の像形成手段を有する請求項１に記載の画像形成システム。
【請求項１１】
前記消費されやすい現像剤が消費されやすいように前記第１の像形成手段における現像条件を制御する制御部を有する請求項１０に記載の画像形成システム。
【請求項１２】
前記混合現像剤を構成する複数の現像剤の中で比率が最も多い現像剤のみに対して設けられた前記第２の像形成手段を有する請求項１に記載の画像形成システム。
【発明の詳細な説明】
【技術分野】
【０００１】
この発明は、画像形成システムに関する。
【背景技術】
【０００２】
近年、単一又は複数の画像形成装置を含む画像形成システムにおいては、ユーザのニーズが一段と多様化してきており、企業や団体等の組織を象徴する色彩であるコーポレートカラーを用いた画像のプリントなどが求められている。コーポレートカラーは、組織が対外的に意図するブランドイメージやコンセプトを提示するために使用され、色彩の同一性の範囲が狭い。そのため、コーポレートカラーは、色彩が少しでも異なると観者側に同一のイメージを惹起し難く、画像形成システムにおいて色彩が厳しく管理される。
【０００３】
特定の色彩の画像を形成可能な技術としては、例えば、特許文献１などに開示されたものが既に提案されている。
【０００４】
特許文献１は、像担持体上の潜像を現像する現像装置と、該現像装置にトナーを補給するトナー補給装置とを備えたカラー画像形成装置において、該トナー補給装置を、該現像装置で形成する顕像の主な色調を決める上では同一色であり、かつ所定の色差の範囲内に分類されるトナーを収容する複数のトナー収容部と、該トナー収容部から該現像装置内にトナーを補給する複数の補給手段とにより構成したものである。
【先行技術文献】
【特許文献】
【０００５】
【特許文献１】特開平８−２４８７５７号公報
【発明の概要】
【発明が解決しようとする課題】
【０００６】
この発明の目的は、複数の現像剤を混合した混合現像剤で現像を行う場合に、色の変動を調整可能とすることにある。
【課題を解決するための手段】
【０００７】
請求項１に記載された発明は、複数の現像剤が混合された混合現像剤を使用して画像を形成する第１の像形成手段と、
前記混合現像剤に含まれる少なくとも１つの現像剤を使用して画像を形成する第２の像形成手段と、
前記混合現像剤の画像の色を検知する検知手段と、
前記検知手段の検知結果に基づいて、前記混合現像剤の色が予め定められた色からずれている場合に、前記混合現像剤の画像に、色のずれ量に応じた画像を前記第２の像形成手段で形成して重ねるように制御する制御手段と、
を備えた画像形成システムである。
【０００８】
請求項２に記載された発明は、１台の画像形成装置内に設置された前記第１の像形成手段及び前記第２の像形成手段と、
前記第１の像形成手段で形成された画像と前記第２の像形成手段で形成された画像とが転写される中間転写手段と、
を備え、
前記中間転写手段において、前記色のずれ量に応じた画像が重ねられる請求項１に記載の画像形成システムである。
【０００９】
請求項３に記載された発明は、印刷前に予め測定された前記色のずれ量に基づいて前記第２の像形成手段で画像を形成する請求項１又は２に記載の画像形成システムである。
【００１０】
請求項４に記載された発明は、前記第１の像形成手段を有する第１の画像形成装置と、
前記第２の像形成手段を有し、前記第１の画像形成装置から搬出された媒体が搬入される第２の画像形成装置と、
を備え、
前記第２の画像形成装置において、前記色のずれ量に応じた画像が重ねられる請求項１に記載の画像形成システムである。
【００１１】
請求項５に記載された発明は、前記第１の画像形成装置から搬出される媒体に形成された前記混合現像剤の画像の検知結果に基づいて、前記第２の画像形成装置で画像を形成する請求項４に記載の画像形成システムである。
【００１２】
請求項６に記載された発明は、前記混合現像剤を構成する各色の現像剤に対して、それぞれ設置された前記第２の像形成手段を有する請求項１に記載の画像形成システムである。
【００１３】
請求項７に記載された発明は、前記混合現像剤に含まれる予め定められた特定の色のみに対して設けられた前記第２の像形成手段を有する請求項１に記載の画像形成システムである。
【００１４】
請求項８に記載された発明は、前記混合現像剤を構成する複数の現像剤の中で現像時に消費されにくい現像剤のみに対して設けられた前記第２の像形成手段を有する請求項１に記載の画像形成システムである。
【００１５】
請求項９に記載された発明は、前記消費されにくい現像剤が消費されにくいように前記第１の像形成手段における現像条件を制御する制御部を有する請求項８に記載の画像形成システムである。
【００１６】
請求項１０に記載された発明は、前記混合現像剤を構成する複数の現像剤の中で現像時に消費されやすい現像剤のみに対して設けられた前記第２の像形成手段を有する請求項１に記載の画像形成システムである。
【００１７】
請求項１１に記載された発明は、前記消費されやすい現像剤が消費されやすいように前記第１の像形成手段における現像条件を制御する制御部を有する請求項１０に記載の画像形成システムである。
【００１８】
請求項１２に記載された発明は、前記混合現像剤を構成する複数の現像剤の中で比率が最も多い現像剤のみに対して設けられた前記第２の像形成手段を有する請求項１に記載の画像形成システムである。
【発明の効果】
【００１９】
請求項１に記載された発明によれば、複数の現像剤を混合した混合現像剤で現像を行う場合に、色の変動を調整することができる。
【００２０】
請求項２に記載された発明によれば、１台の画像形成装置の構成で、中間転写ベルト上で画像を重ね合わせることができる。
【００２１】
請求項３に記載された発明によれば、２台構成のようにリアルタイムでフィードバックできないので、事前にずれ量をチャート等で測定できる。
【００２２】
請求項４に記載された発明によれば、２台の画像形成装置が連結された構成で、媒体の上で画像を重ね合わせることができる。
【００２３】
請求項５に記載された発明によれば、上流側の画像形成装置で像形成後に検知手段で検知して、下流側の画像形成装置でずれ量を直ぐにフィードバックして反映することができる。
【００２４】
請求項６に記載された発明によれば、第２の像形成手段が２つ以上ある場合に成分毎に調整可能である。
【００２５】
請求項７に記載された発明によれば、すべての成分の像形成手段を設ける必要がない。
【００２６】
請求項８に記載された発明によれば、現像性の低い現像剤の像を重ねることで不足分を補うことができる。
【００２７】
請求項９に記載された発明によれば、低現像性の現像剤が現像されにくいように現像条件を制御する。
【００２８】
請求項１０に記載された発明によれば、減りの早い現像剤の像を重ねることで不足分を補える。
【００２９】
請求項１１に記載された発明によれば、高現像性の現像剤が現像されやすいように現像条件を制御することができる。
【００３０】
請求項１２に記載された発明によれば、成分比が多い現像剤を重ねることで色変動要因を小さくできる。
【図面の簡単な説明】
【００３１】
【図１】この発明の実施の形態１に係る画像形成システムとしての特色画像形成装置を示す概略構成図である。
【図２】この発明の実施の形態１に係る画像形成システムとしての特色画像形成装置の作像装置を示す構成図である。
【図３】トナーの粒度分布を示すグラフである。
【図４】トナーの粒度分布を示すグラフである。
【図５】この発明の実施の形態１に係る画像形成システムとしての特色画像形成装置の制御装置を示すブロック図である。
【図６】特色検知手段を示す構成図である。
【図７】光の三原色を示す説明図である。
【図８】色材の三原色を示す説明図である。
【図９】Ｌａｂ空間における２色の色差を示す説明図である。
【図１０】この発明の実施の形態１に係る画像形成システムとしての特色画像形成装置の動作を示すフローチャートである。
【図１１】この発明の実施の形態１に係る画像形成システムとしての特色画像形成装置の画像形成状態を示す説明図である。
【図１２】この発明の実施の形態２に係る画像形成システムを示す概略構成図である。
【図１３】この発明の実施の形態３に係る画像形成システムを示す概略構成図である。
【発明を実施するための形態】
【００３２】
以下に、この発明の実施の形態について図面を参照して説明する。
【００３３】
[実施の形態１]
図１は、実施の形態１に係る画像形成システムの一例である特色画像形成装置の全体の概略を示している。なお、図中、矢印Ｘは水平方向に沿った幅方向を、Ｙは水平方向に沿った奥行方向を、Ｚは鉛直方向をそれぞれ示している。
【００３４】
＜画像形成システムの全体の構成＞
実施の形態１に係る画像形成システム１は、例えば、特色の画像をプリントする特色画像形成装置２として構成されたものである。ここで、特色とは、カラー画像形成装置などで通常使用されるイエロー（Ｙ），マゼンタ（Ｍ），シアン（Ｃ）及びブラック（Ｋ）などのプロセスカラーではなく、ユーザなどによって特に指定された色を意味する。特色の例としては、例えば、企業や団体等の組織を象徴する色であるコーポレートカラーなどのように、特別に調整された１色が挙げられる。富士ゼロックス株式会社は、鮮やかな“ゼロックス・レッド”と呼ばれる色をコーポレートカラーとして使用している。
【００３５】
特色には、所謂カスタムカラーを含む。カスタムカラーとは、イエロー（Ｙ），マゼンタ（Ｍ），シアン（Ｃ）及びブラック（Ｋ）以外の単色として作成された色をいう。カスタムカラーとしては、例えば、透明（ＣＬＲ）、白（Ｗ）、オレンジ（ＯＲ）、グリーン（ＧＲ）、バイオレット（ＶＩ）、レッド（Ｒ）、ブルー（Ｂ）、蛍光色（ＦＬ）、金（Ｇ）、銀（ＳＩ）などが挙げられる。カスタムカラーを構成する現像剤としてのトナーは、単独でも用いられるが、イエロー（Ｙ），マゼンタ（Ｍ），シアン（Ｃ）及びブラック（Ｋ）などのプロセスカラーを含む他のトナーと混合して用いられる場合もある。
【００３６】
この実施の形態１に係る特色画像形成装置２は、イエロー（Ｙ），マゼンタ（Ｍ），シアン（Ｃ）及びブラック（Ｋ）などの所謂プロセスカラーや、透明（ＣＬＲ），白（Ｗ），オレンジ（ＯＲ），グリーン（ＧＲ），金（Ｇ），銀（ＳＩ）などの単独のカスタムカラーで表現される色ではなく、プロセスカラーやカスタムカラーなどを含む複数の現像剤が混合された混合現像剤を使用して画像を形成する第１の像形成手段と、混合現像剤に含まれる少なくとも１つの現像剤を使用して画像を形成する第２の像形成手段を備えるように構成されている。
【００３７】
更に説明すると、特色画像形成装置２は、図１に示されるように、複数の現像剤を混合した混合現像剤を使用して画像を形成する第１の像形成手段の一例としての第１の作像装置１０ＳＰと、混合現像剤に含まれる複数の現像剤のうち少なくとも１つの現像剤を使用して画像を形成する第２の像形成手段としての第２の作像装置１０（Ｙ，ＣＬＲ，ＯＲ）と、各作像装置１０（Ｙ，ＣＬＲ，ＯＲ，ＳＰ）で形成されたトナー像をそれぞれ保持して最終的に記録媒体の一例としての記録用紙５に二次転写する二次転写位置Ｔ２まで搬送する中間転写装置２０と、中間転写装置２０の二次転写位置Ｔ２に供給すべき所要の記録用紙５を収容して搬送する給紙装置５０と、中間転写装置２０で二次転写された記録用紙５上のトナー像を定着させる定着手段の一例としての定着装置４０等を備えている。なお、図１中、符号２ａは、特色画像形成装置２の装置本体を示すものであり、装置本体２ａは、支持構造部材や外装カバー等で形成されている。また、図中の破線は、装置本体２ａの内部において記録用紙５が搬送される主な搬送経路を示す。
【００３８】
この実施の形態１に係る第１の作像装置１０ＳＰは、イエロー（Ｙ），透明（ＣＬＲ）及びオレンジ（ＯＲ）の３色のトナーを混合した混合現像剤の一例としての特色（ＳＰ）トナーを用いて画像を形成する。また、第２の作像装置（Ｙ，ＣＬＲ，ＯＲ）は、特色（ＳＰ）を構成するイエロー（Ｙ），透明（ＣＬＲ）及びオレンジ（ＯＲ）の３色のトナーを用いてそれぞれ画像を形成する３つの作像装置１０Ｙ，１０ＣＬＲ，１０ＯＲで構成されている。この実施の形態１では、第２の作像装置１０（Ｙ，ＣＬＲ，ＯＲ）として、混合現像剤に含まれる複数の現像剤のすべての現像剤を使用して画像を形成するよう構成されている。これらの第１及び第２の作像装置１０（Ｙ，ＣＬＲ，ＯＲ，ＳＰ）は、装置本体２ａの内部空間において水平方向に沿って１列に並べた状態で配置されている。第１の作像装置１０ＳＰは、中間転写ベルト２１の移動方向に沿った最も下流側に配置されている。但し、第１の作像装置１０ＳＰの配置としては、これに限定されるものではなく、中間転写ベルト２１の移動方向Ｂに沿った最も上流側や中間に配置しても良い。
【００３９】
第１及び第２の作像装置１０（Ｙ，ＣＬＲ，ＯＲ，ＳＰ）は、形成する画像の色が異なる以外は基本的に同様に構成されている。第１及び第２の作像装置１０（Ｙ，ＣＬＲ，ＯＲ，ＳＰ）は、図１に示されるように、回転する像保持手段の一例としての感光体ドラム１１を備えている。この感光体ドラム１１の周囲には、次のような各装置が主に配置されている。主な装置とは、感光体ドラム１１の像形成が可能な周面（像保持面)を所要の電位に帯電させる帯電装置１２と、感光体ドラム１１の帯電された周面に画像の情報（信号）に基づく光を照射して電位差のある（各色用の）静電潜像を形成する露光手段の一例としての露光装置１３と、その静電潜像を対応する色（Ｙ，ＣＬＲ，ＯＲ，ＳＰ）の現像剤のトナーで現像してトナー像にする現像手段の一例としての現像装置１４と、その各トナー像を中間転写装置２０に転写する一次転写手段の一例としての一次転写装置１５と、一次転写後における感光体ドラム１１の像保持面に残留して付着するトナー等の付着物を取り除いて清掃するドラム清掃装置１６等である。
【００４０】
感光体ドラム１１は、接地処理される円筒状又は円柱状の基材の周面に感光材料からなる光導電性層（感光層）を有する像保持面を形成したものである。この感光体ドラム１１は、図示しない駆動装置から動力が伝達されて矢印Ａで示す方向に回転するよう支持されている。
【００４１】
帯電装置１２は、感光体ドラム１１に接触しない状態で配置されるコロナ放電器等の非接触型の帯電装置で構成される。帯電装置１２には帯電用電圧が供給される。帯電用電圧としては、現像装置１４が反転現像を行うものである場合、現像装置１４から供給されるトナーの帯電極性と同じ極性の電圧又は電流が供給される。なお、帯電装置１２としては、感光体ドラム１１に接触した状態で配置される帯電ロール等の接触型の帯電装置を用いても良い。
【００４２】
第１の作像装置１０ＳＰの露光装置１３は、基本的に、特色画像形成装置２に入力される特色画像の情報に応じて構成されるレーザ光ＬＢを、帯電された後の感光体ドラム１１の周面に対して照射して静電潜像を形成するものである。露光装置１３には、画像形成時になると、特色画像形成装置２にパーソナルコンピュータ等のクライアント装置から入力される特色画像の情報（信号）が送信される。また、第２の作像装置１０（Ｙ，ＣＬＲ，ＯＲ）の露光装置１３は、後述するように、制御装置１００で作成された補正画像の情報に応じて構成されるレーザ光ＬＢを、帯電された後の感光体ドラム１１の周面に対して照射して静電潜像を形成するものである。なお、露光装置１３としては、感光体ドラム１１の軸方向に沿って配列された複数の発光素子としてのＬＥＤにより感光体ドラム１１に光を照射して静電潜像を形成するＬＥＤプリントヘッドからなるものを用いても良い。
【００４３】
現像装置１４（Ｙ，ＣＬＲ，ＯＲ，ＳＰ）はいずれも、図２に示されるように、開口部と現像剤１４５の収容室が形成された筐体１４０の内部に、現像剤１４５を保持して感光体ドラム１１と向き合う現像領域まで搬送する現像ロール１４１と、現像剤１４５を撹拌しながら現像ロール１４１を通過させるよう搬送するスクリューオーガー等の撹拌搬送部材１４２，１４３と、現像ロール１４１に保持される現像剤の量（層厚）を規制する層厚規制部材１４４などを配置して構成されたものである。現像装置１４には、現像ロール１４１と感光体ドラム１１の間に現像用電圧が図示しない電源装置から供給される。また、現像ロール１４１や撹搬送拌部材１４２，１４３は、図示しない駆動装置からの動力が伝達されて所要の方向に回転する。さらに、上記４色の現像剤１４５（Ｙ，ＣＬＲ，ＯＲ，ＳＰ）としては、非磁性トナーと磁性キャリアを含む二成分現像剤が使用される。
【００４４】
第１の作像装置１０ＳＰにおける現像装置１４は、現像剤として、イエロー（Ｙ），オレンジ（ＯＲ）及び透明（ＣＬＲ）の各トナーを１：１：１の比率（体積）で混合した混合現像剤を用いている。なお、混合現像剤としては、イエロー（Ｙ）、オレンジ（ＯＲ）及び透明（ＣＬＲ）に限定されるものではなく、マゼンタ（Ｍ）と白（Ｗ）など、任意の色で構成しても良いことは勿論である。また、混合現像剤としては、各成分の現像剤を同一の比率で混合したものに限定されるものではなく、各現像剤をｌ：ｍ：ｎのように互いに異なる任意の比率で混合したものであっても良い。ここで、ｌ，ｍ，ｎは、整数に限らず、自然数を含むものである。また、混合する現像剤の数も３種類に限定されるものではなく、２種類であっても或いは４種類以上であっても良い。
【００４５】
第１の作像装置１０ＳＰにおける現像装置１４には、イエロー（Ｙ），オレンジ（ＯＲ）及び透明（ＣＬＲ）の各トナーを予め混合した混合トナー（混合現像剤）が図示しない現像剤収容容器から供給される。また、第１の作像装置１０ＳＰにおける現像装置１４には、イエロー（Ｙ），オレンジ（ＯＲ）及び透明（ＣＬＲ）の各トナーをそれぞれ収容した図示しない現像剤収容容器から個別に供給するよう構成しても良い。
【００４６】
一次転写装置１５は、図１に示されるように、一次転写位置Ｔ１において感光体ドラム１１の周面に中間転写ベルト２１を介して接触し回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００４７】
ドラム清掃装置１６は、図２に示されるように、容器状の本体１６０の内部に配置されて残留トナー等の付着物を取り除いて清掃する清掃板１６１と、残留トナー等の付着物を取り除いて清掃する清掃ブラシ１６２と、清掃板１６１及び清掃ブラシ１６２で取り除いたトナー等の付着物を回収して図示しない回収システムに送り出すよう搬送するスクリューオーガー等の送出部材１６３などで構成されている。清掃板１６１としては、ゴム等の材料からなる板状の部材（例えばブレード）が使用される。
【００４８】
中間転写装置２０は、図１に示されるように、各作像装置１０（Ｙ，ＣＬＲ，ＯＲ，ＳＰ）の下方の位置に存在するよう配置される。この中間転写装置２０は、感光体ドラム１１と一次転写装置１５（一次転写ロール）の間となる一次転写位置Ｔ１を通過しながら矢印Ｂで示す方向に循環移動する中間転写手段の一例としての中間転写ベルト２１と、中間転写ベルト２１をその内周から所望の状態に保持して循環移動が可能となるよう支持する複数のベルト支持ロール２２〜２４と、ベルト支持ロール２４に支持されている中間転写ベルト２１の外周面（像保持面）側に配置されて中間転写ベルト２１上のトナー像を記録用紙５に二次転写させる二次転写装置３０と、二次転写装置３０を通過した後に中間転写ベルト２１の外周面に残留して付着するトナー、紙粉等の付着物を取り除いて清掃するベルト清掃装置２５とで主に構成されている。
【００４９】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は駆動ロールとして構成され、ベルト支持ロール２３は中間転写ベルト２１の走行位置などを保持する従動ロールとして構成され、ベルト支持ロール２４は二次転写のバックアップロールとして構成されている。
【００５０】
二次転写装置３０は、中間転写装置２０におけるベルト支持ロール２４に支持されている中間転写ベルト２１の外周面部分である二次転写位置Ｔ２において接触して回転するよう配置される二次転写ロール３１を備えた接触型の転写装置が採用される。
【００５１】
定着装置４０は、表面温度が予め定められた温度に保持されるよう図示しない加熱手段（熱源）によって加熱されるロール形態又はベルト形態の加熱用回転体４１と、この加熱用回転体４１に所要の圧力で接触して回転するロール形態又はベルト形態の加圧用回転体４２などを配置して構成されたものである。この定着装置４０では、加熱用回転体４１と加圧用回転体４２が接触する接触部が所要の定着処理（加熱及び加圧）を行う定着処理部となる。
【００５２】
給紙装置５０は、中間転写装置２０の下方の位置に存在するよう配置される。この給紙装置５０は、所望のサイズ、種類等の記録用紙５を積載した状態で収容する単数（又は複数）の用紙収容体５１と、用紙収容体５１から記録用紙５を１枚ずつ送り出す送出装置５２とで主に構成されている。用紙収容体５１は、例えば、装置本体２ａの正面（使用者が操作時に向き合う側面）側に引き出すことができるように取り付けられている。
【００５３】
記録用紙５としては、例えば、電子写真方式の複写機、プリンタ等に使用される普通紙やトレーシングペーパー等の薄紙、あるいは合成樹脂（ＰＥＴなど）製の透明なフィルム状の媒体からなるＯＨＰシート等が挙げられる。定着後における画像表面の平滑性をさらに向上させるには、記録用紙５の表面もできるだけ平滑であることが好ましく、例えば、普通紙の表面を樹脂等でコーティングしたコート紙、印刷用のアート紙等の坪量が相対的に大きい所謂厚紙なども好適に使用することができる。
【００５４】
給紙装置５０と二次転写装置３０との間には、給紙装置５０から送り出される記録用紙５を二次転写位置Ｔ２まで搬送する複数（又は単数）の用紙搬送ロール対５３，５４や図示しない搬送ガイド材で構成される給紙搬送路５５が設けられている。給紙搬送路５５において二次転写位置Ｔ２の直前の位置に配置される用紙搬送ロール対５４は、例えば記録用紙５の搬送時期を調整するロール（レジストロール）として構成されている。
【００５５】
また、二次転写装置３０と定着装置４０との間には、二次転写装置３０から送り出される記録用紙５を定着装置４０まで搬送する複数又は単数の図示しない用紙搬送ベルト等で構成される用紙搬送路５６が設けられている。
【００５６】
定着装置４０の下流側には、定着装置４０によりトナー像が定着された記録用紙５を、装置本体２ａの側面に配置された用紙排出部５７に排出するための用紙排出ロール５８を備えた用紙排出搬送路５９が設けられている。
【００５７】
図１中、符号１００は、特色画像形成装置２の動作を統括的に制御する制御手段の一例としての制御装置を示している。制御装置１００は、図示しないＣＰＵ（Central Processing Unit）やＲＯＭ（Read  Only  Memory）、ＲＡＭ（Random  Access Memory）、あるいはこれらＣＰＵやＲＯＭ等を接続するバス、通信インターフェイスなどを備える。なお、制御装置１００の構成については、後に詳述する。
【００５８】
＜特色画像形成装置の基本的な動作＞
以下、特色画像形成装置２による基本的な画像形成動作について説明する。
【００５９】
この特色画像形成装置２は、特色プリンタとして機能するものである。特色画像形成装置２は、基本的に、特色（ＳＰ）の作像装置１０ＳＰのみを使用して、イエロー（Ｙ），透明（ＣＬＲ）及びオレンジ（ＯＲ）の各色のトナーを混合した混合現像剤を用いて特色（ＳＰ）の画像を形成する。
【００６０】
特色画像形成装置２において特色（ＳＰ）の画像を形成する動作は、第１及び第２の作像装置１０（Ｙ，ＣＬＲ，ＯＲ，ＳＰ）のうち、第１の作像装置１０ＳＰのみを動作させ、第２の作像装置１０（Ｙ，ＣＬＲ，ＯＲ）を動作させないものであるが、ここでは、説明の都合上、第１及び第２の作像装置１０（Ｙ，ＣＬＲ，ＯＲ，ＳＰ）のすべてを動作させて画像を形成する場合について説明する。
【００６１】
特色画像形成装置２は、パーソナルコンピュータ等のクライアント装置から特色画像の形成（プリント）の要求の指令情報を受けると、制御装置１００の制御によって、第１及び第２の作像装置１０（Ｙ，ＣＬＲ，ＯＲ，ＳＰ）、中間転写装置２０、二次転写装置３０、定着装置４０等が始動する。
【００６２】
そして、第１及び第２の作像装置１０（Ｙ，ＣＬＲ，ＯＲ，ＳＰ）においては、まず各感光体ドラム１１が矢印Ａで示す方向に回転し、各帯電装置１２が各感光体ドラム１１の表面を所要の極性（実施の形態１ではマイナス極性）及び電位に帯電させる。続いて、露光装置１３が、帯電後の感光体ドラム１１の表面に対して画像露光を行い、その表面に所要の電位差で構成される各色成分の静電潜像をそれぞれ形成する。
【００６３】
その際、第１の作像装置１０ＳＰの露光装置１３は、特色画像形成装置２に入力される特色（ＳＰ）の画像情報（信号）に基づいて発光される光を照射する。また、第２の作像装置１０（Ｙ，ＣＬＲ，ＯＲ）の各露光装置１３では、後述するように、制御装置１００から必要に応じてそれぞれ出力される各補正データに基づいて発光される光を照射し、その表面に所要の電位差で構成される各色成分の静電潜像がそれぞれ形成される。なお、制御装置１００から必要に応じてそれぞれ出力される各補正データは、特色（ＳＰ）の画像の色を調整するものであり、濃度情報を除いて特色（ＳＰ）の画像情報（信号）と同じものが用いられる。
【００６４】
続いて、各現像装置１４（Ｙ，ＣＬＲ，ＯＲ，ＳＰ）が、感光体ドラム１１に形成された各色成分の静電潜像に対し、所要の極性（マイナス極性）に帯電された対応する色（Ｙ，ＣＬＲ，ＯＲ，ＳＰ）のトナーをそれぞれ供給して静電的に付着させて現像を行う。この現像により、各感光体ドラム１１に形成された各色成分の静電潜像は、その対応する色のトナーでそれぞれ現像された４色（Ｙ，ＣＬＲ，ＯＲ，ＳＰ）のトナー像として顕像化される。
【００６５】
続いて、各作像装置１０（Ｙ，ＣＬＲ，ＯＲ，ＳＰ）の感光体ドラム１１上に形成された各色のトナー像が一次転写位置Ｔ１まで搬送されると、一次転写装置１５が、その各色のトナー像を中間転写装置２０の矢印Ｂで示す方向に回転する中間転写ベルト２１に対して順番に重ね合わせるような状態で一次転写させる。
【００６６】
また、一次転写が終了した各作像装置１０では、ドラム清掃装置１６が付着物を掻き取るように除去して感光体ドラム１１の表面を清掃する。これにより、各作像装置１０は次の作像動作が可能な状態にされる。
【００６７】
続いて、中間転写装置２０では、中間転写ベルト２１の回転により一次転写されたトナー像を保持して二次転写位置Ｔ２まで搬送する。一方、給紙装置５０では、作像動作に合わせて所要の記録用紙５を給紙搬送路５５に送り出す。給紙搬送路５５では、レジストロールとしての用紙搬送ロール対５４が記録用紙５を転写時期に合わせて二次転写位置Ｔ２に送り出して供給する。
【００６８】
二次転写位置Ｔ２においては、二次転写ロール３１が、中間転写ベルト２１上のトナー像を記録用紙５に一括して二次転写させる。また、二次転写が終了した後の中間転写装置２０では、ベルト清掃装置２５が、二次転写後の中間転写ベルト２１の表面に残留したトナー等の付着物を取り除いて清掃する。
【００６９】
続いて、トナー像が二次転写された記録用紙５は、中間転写ベルト２１と二次転写ロール３１から剥離された後に図示しない搬送装置によって定着装置４０まで搬送される。定着装置４０では、回転する加熱用回転体４１と加圧用回転体４２との間の定着処理部に二次転写後の記録用紙５を導入して通過させることにより、必要な定着処理（加熱及び加圧）をして未定着のトナー像を記録用紙５に定着させる。
【００７０】
定着処理が終了した後の記録用紙５は、用紙排出搬送路５９を介して用紙排出ロール５８により、特色画像形成装置２の側面に設けられた用紙排出部５７に排出される。
【００７１】
以上の動作が行われることにより、特色のトナーからなるトナー像と、必要に応じて補正用のイエロー（Ｙ），オレンジ（ＯＲ）及び透明（ＣＬＲ）の各トナーＴ（Ｙ，ＣＬＲ，ＯＲ）のいずれか１つ以上からなる補正トナー像を組み合わせて形成される特色画像が記録用紙５に形成される。また、複数枚の画像形成動作の要求指令を受けた場合は、その枚数分だけ上記画像形成動作が同様に繰り返して行われる。なお、上述したように、特色のトナー像に対してイエロー（Ｙ），オレンジ（ＯＲ）及び透明（ＣＬＲ）の各トナーＴ（Ｙ，ＣＬＲ，ＯＲ）を用いて補正を施す必要がない場合は、特色のトナー像のみが記録用紙５上に形成される。
【００７２】
＜画像形成システムの特徴部分の構成＞
ところで、上記の如く構成される特色画像形成装置２では、図１に示されるように、特色の作像装置１０ＳＰを用いて、イエロー（Ｙ），透明（ＣＬＲ）及びオレンジ（ＯＲ）の各色のトナーを混合した混合現像剤を使用して特色（ＳＰ）の画像が形成される。
【００７３】
特色の作像装置１０ＳＰの現像装置１４では、イエロー（Ｙ），透明（ＣＬＲ）及びオレンジ（ＯＲ）の３色のトナーを混合した混合現像剤を使用している。イエロー（Ｙ），透明（ＣＬＲ）及びオレンジ（ＯＲ）の３色のトナーは、現像剤としてのトナーの種類によってそれぞれ現像性に違いを有している。トナーの種類によって現像性に違いが現れる要因としては、大別して、各トナーの中心粒径の差、各トナーで使用する顔料の種類による差、各トナーの形状における差などが挙げられる。
【００７４】
混合現像剤を構成するイエロー（Ｙ），オレンジ（ＯＲ）及び透明（ＣＬＲ）の各トナーの粒子径（数平均粒子径）は、図３に示されるように、中心粒径をピークとしてその両側に分布している。イエロー（Ｙ）及びオレンジ（ＯＲ）のトナーは、図４に示されるように、トナーの中心粒径が略等しく、相対的に小さい値を有している。一方、透明（ＣＬＲ）トナーは、トナーの中心粒径がイエロー（Ｙ）及びオレンジ（ＯＲ）に比較して大きい。そのため、イエロー（Ｙ）及びオレンジ（ＯＲ）のトナーと透明（ＣＬＲ）トナーでは、トナーの中心粒径の違いに起因して帯電性に差が生じ、現像性が異なる場合がある。
【００７５】
また、混合現像剤を構成するイエロー（Ｙ），オレンジ（ＯＲ）及び透明（ＣＬＲ）の各トナーは、トナーの色に応じて使用する顔料の種類が異なる。イエロー（Ｙ）のトナーは、例えば、Ｃ．Ｉ．ピグメントイエロー等のイエロー顔料が用いられる。また、オレンジ（ＯＲ）のトナーでは、例えば、Ｃ．Ｉ．ピグメントオレンジ等のオレンジ顔料が用いられる。イエロー（Ｙ）及びオレンジ（ＯＲ）のトナーは、使用する顔料の種類が異なり、イエロー（Ｙ）の顔料は、オレンジ（ＯＲ）の顔料に比較して帯電性が低い傾向がある。そのため、イエロー（Ｙ）のトナーは、オレンジ（ＯＲ）のトナーに比較して現像性が低い場合がある。なお、透明（ＣＬＲ）トナーは、顔料を有していない。
【００７６】
さらに、混合現像剤を構成するイエロー（Ｙ），オレンジ（ＯＲ）及び透明（ＣＬＲ）の各トナーは、その形状が異なる。そのため、イエロー（Ｙ）、オレンジ（ＯＲ）及び透明（ＣＬＲ）の各トナーは、トナー形状の相違に起因して現像性に違いが生じる場合がある。
【００７７】
このように、第１の作像装置１０ＳＰの現像装置１４で使用される混合現像剤を構成するイエロー（Ｙ）、オレンジ（ＯＲ）及び透明（ＣＬＲ）の各トナーは、種々の理由により現像性に違いが存在する。
【００７８】
イエロー（Ｙ）、オレンジ（ＯＲ）及び透明（ＣＬＲ）の各トナーを混合した混合トナーを用いた第１の作像装置１０ＳＰの現像装置１４では、各トナーの特性の相違によって特定の単数又は複数のトナーが選択的に現像される傾向がある。
【００７９】
第１の作像装置１０ＳＰの現像装置１４では、例えば、各トナーの特性の相違によって帯電性が高いトナーの方が低いトナーより現像され易く減少しやすい場合と、帯電性が低いトナーの方が高いトナーより現像され易く減少しやすい場合がある。
【００８０】
また、第１の作像装置１０ＳＰの現像装置１４では、例えば、粒径が大きいトナーの方が小さいトナーより現像され易く減少しやすい場合と、粒径が小さいトナーの方が大きいトナーより現像され易く減少しやすい場合などがある。
【００８１】
更に説明すると、現像装置１４では、特定のトナーが選択的に現像される選択現像という現象が生じることがある。現像装置１４では、例えば、粒径の大きいトナーの方が現像され易く、トナー消費量に応じて残存するトナーの粒度分布が粒径の小さい方に偏っていくことがある。また、現像装置１４では、感光体ドラム１１上に形成された静電潜像の画像エッジでは電界強度が高くなり、粒径の小さなトナーも消耗されるという現象も発生する。
【００８２】
そのため、イエロー（Ｙ）、オレンジ（ＯＲ）及び透明（ＣＬＲ）の各トナーを混合した混合トナーを用いた第１の作像装置１０ＳＰの現像装置１４では、各トナーが均等に現像されて消費される訳ではなく、特定の単数又は複数のトナーが選択的に現像されて消費される現象が生じる。
【００８３】
第１の作像装置１０ＳＰの現像装置１４において、イエロー（Ｙ）、オレンジ（ＯＲ）及び透明（ＣＬＲ）の各トナーのうち、特定の単数又は複数のトナーが選択的に現像されて消費されると、イエロー（Ｙ）、オレンジ（ＯＲ）及び透明（ＣＬＲ）の各トナーの比率が変化してしまい、イエロー（Ｙ）、オレンジ（ＯＲ）及び透明（ＣＬＲ）の各トナーを混合した特色（ＳＰ）の画像において色変動（色ずれ）が発生する虞れがある。
【００８４】
特色画像形成装置２で形成される特色（ＳＰ）の画像は、通常のフルカラー画像などと異なり、企業や団体等の組織を象徴する色であるコーポレートカラーなどのように、特別に調整された１色として使用される。そのため、特色（ＳＰ）の画像は、色彩の同一性の幅が狭く、多少でも色彩が変化すると同一色として認識されない場合がある。
【００８５】
そこで、この実施の形態１に係る特色画像形成装置２では、混合現像剤の画像の色を検知する検知手段と、検知手段の検知結果に基づいて、混合現像剤の色が予め定められた色からずれている場合に、混合現像剤の画像に、色のずれ量に応じた画像を第２の像形成手段で形成して重ねるように制御する制御手段を備えるように構成されている。
【００８６】
図５はこの実施の形態１に係る特色画像形成装置２の制御装置１００を示すブロック図である。
【００８７】
制御装置１００は、制御手段の一例としての制御部１０１と、記憶部１０２と、操作部１０３と、通信部１０４とを備えている。
【００８８】
制御部１０１は、記憶部１０２に記憶されたプログラムを実行するとともに、特色画像形成装置２の画像形成部１０５を制御する。また、制御部１０１は、記憶部１０２や操作部１０３、あるいは通信部１０４を制御するとともに、通信部１０４を介して図示しないパーソナルコンピュータ等のクライアント装置と通信を行う。
【００８９】
操作部１０３は、ユーザーが記録用紙５の種類やプリント枚数などを入力するとともに、開始ボタンにより画像形成動作の開始を指示する入力部１０３ａと、入力部１０３ａで入力された画像形成条件や特色画像形成装置２の状態などを表示する表示部１０３ｂを備えている。
【００９０】
制御部１０１には、後述する特色検知手段７０からの検知結果が入力される。制御部１０１は、特色検知手段７０から入力される検知結果に基づいて、特色画像の色彩及び光沢度を判断し、必要に応じて補正データを生成する機能を有している。
【００９１】
特色画像形成装置２は、図１及び図６に示されるように、定着装置４０の記録用紙５の搬送方向に沿った下流側に、記録用紙５上に形成された特色のトナー像ＴＳＰの色を検知する検知手段の一例としての特色検知手段７０を備えている。特色検知手段７０としては、例えば、記録用紙５上に形成された画像の色彩及び光沢度の双方を測定可能な分光側色計が用いられる。特色検知手段７０は、画像の色彩を赤（Ｒ），緑（Ｇ），青（Ｂ）の各成分に分解して検知する。また、特色検知手段７０は、画像の光沢度を光沢度データとして検知する。
【００９２】
光は、図７に示される如く、良く知られているように、赤（Ｒ），緑（Ｇ），青（Ｂ）の三原色で構成されている。パーソナルコンピュータのモニターやデジタルカメラ、或いは通常の画像形成装置の画像読取装置（スキャナー）などでは、赤（Ｒ），緑（Ｇ），青（Ｂ）の三原色で色が表現される。
【００９３】
一方、通常の画像形成装置においては、図８に示されるように、イエロー（Ｙ），マゼンタ（Ｍ）及びシアン（Ｃ）からなる色料の三原色で色が表現される。
【００９４】
このような画像の色彩を表現するには、Ｌ＊ａ＊ｂ＊表色系、ＸＹＺ表色系（Ｙｘｙ表色系）、Ｌ＊Ｃ＊ｈ＊表色系など種々の表色系が用いられる。これらの表色系は、色を「色相」「明度」「彩度」の３つの要素（刺激値）によって数値化するものである。
【００９５】
Ｌ＊ａ＊ｂ＊表色系は、図９に示されるように、数値化されたａ＊座標とｂ＊座標によって中心部から外周に向かうに従って彩度が高くなるとともに、その外周に沿って赤→橙→黄→緑→青→青紫→紫→赤紫というように色相が変化する。また、ａ＊ｂ＊平面と交差するＬ＊座標に応じて明度が変化する。
【００９６】
２つの色の差（色差）は、Ｌ＊ａ＊ｂ＊座標における２点間の距離として表現される。いま、点Ｃ（Ｌ１＊，ａ１＊，ｂ１＊）と、点Ｄ（Ｌ２＊，ａ２＊，ｂ２＊）の距離で与えられる２つの色の差（色差）ΔＥは、ΔＬ＊＝Ｌ１＊−Ｌ２＊，Δａ＊＝ａ１＊−ａ２＊，Δｂ＊＝ｂ１＊−ｂ２＊とすると、次の式で与えられる。
【００９７】
［数１］
ΔＥ＝［（ΔＬ＊）２＋（Δａ＊）２＋（Δｂ＊）２］１／２
【００９８】
制御装置１００の制御部１０１は、例えば、特色検知手段７０で検知された画像の色彩を表す赤（Ｒ），緑（Ｇ），青（Ｂ）の各成分をＬ＊ａ＊ｂ＊の各値に変換した後、画像の形成に使用される色に分版する機能を備えている。色の分版とは、特色検知手段７０で検知された画像の色彩を、当該画像を形成する基準色であるイエロー（Ｙ），マゼンタ（Ｍ），シアン（Ｃ）及びブラック（Ｋ）の画像データと、カスタムカラーであるオレンジ（ＯＲ）の画像データとに分解する機能である。なお、透明（ＣＬＲ）トナーの画像は、光沢度のデータとして求められる。
【００９９】
制御装置１００の制御部１０１は、特色検知手段７０で検知された特色のトナー像ＴＳＰの色彩を、イエロー（Ｙ）の画像データと、カスタムカラーであるオレンジ（ＯＲ）の画像データとに分解する。
【０１００】
そして、制御装置１００の制御部１０１は、分版されたイエロー（Ｙ）の画像データと、カスタムカラーであるオレンジ（ＯＲ）の画像データが、予め設定された特色画像の許容範囲内であるか否かを判断する機能を有している。
【０１０１】
制御装置１００の制御部１０１は、分版されたイエロー（Ｙ）の画像データと、カスタムカラーであるオレンジ（ＯＲ）の画像データが、予め設定された特色画像の許容範囲内でないと判断すると、イエロー（Ｙ）及びオレンジ（ＯＲ）の画像データの不足分を算出して補正データを生成する。
【０１０２】
このように、上記実施の形態の場合には、制御装置１００は、この新たに選択された色彩に対して補正値を求めるように構成されている。なお、制御装置１００は、特色（ＳＰ）のトナー像ＴＳＰの光沢度に対しても同様に補正データを求める。
【０１０３】
＜画像形成システムの動作＞
この実施の形態１に係る特色画像形成装置２では、次のようにして、複数の現像剤を混合した混合現像剤で現像を行う場合に、色の変動が調整可能となっている。
【０１０４】
まず、特色画像形成装置２では、図１０に示されるように、特色の作像装置１０ＳＰのみを動作させて特色（ＳＰ）のトナー像ＴＳＰがプリントされる（ステップ１０１）。
【０１０５】
次に、特色の作像装置１０ＳＰで形成された特色のトナー像ＴＳＰは、図１及び図６に示されるように、特色検知手段７０によって色彩及び光沢度が検知される。特色検知手段７０によって検知された特色画像の色彩及び光沢度の検知結果は、図５に示されるように、制御装置１００の制御部１０１へと送信される。
【０１０６】
制御装置１００の制御部１０１は、特色検知手段７０によって検出された色彩及び光沢度の検知結果に基づいて、検知された特色画像の色彩及び光沢度と、予め定められた色彩及び光沢度の差が許容範囲か否かを判断する（ステップ１０３）。
【０１０７】
制御部１０１は、検知された特色画像の色彩及び光沢度と予め定められた色彩及び光沢度の差が許容範囲内であると判断すると、特色画像形成装置２において、特色画像の単色プリントを実行して（ステップ１０４）、画像形成動作を終了する。
【０１０８】
一方、制御部１０１は、検知された特色画像の色彩及び光沢度と予め定められた色彩及び光沢度の差が許容範囲内でないと判断すると、検出された特色画像の色彩及び光沢度と予め定められた色彩及び光沢度の差に基づく補正量を、特色に含まれるイエロー（Ｙ），オレンジ（ＯＲ）及び透明（ＣＬＲ）の各トナーに分版する（ステップ１０５）。
【０１０９】
そして、制御部１０１は、特色に含まれるイエロー（Ｙ），オレンジ（ＯＲ）及び透明（ＣＬＲ）の各トナーに分版されたデータに応じて、特色の補正画像データを生成する（ステップ１０６）。
【０１１０】
その後、特色画像形成装置２は、制御部１０１により生成された補正画像データに基づいて、図１１（ａ）に示されるように、第２の作像装置１０（Ｙ，ＣＬＲ，ＯＲ）の少なくとも１つ以上によってイエロー（Ｙ），オレンジ（ＯＲ）及び透明（ＣＬＲ）のトナー像を中間転写ベルト２１上に重ね合わせた状態で形成するとともに、第１の作像装置１０ＳＰによってイエロー（Ｙ），オレンジ（ＯＲ）及び透明（ＣＬＲ）の各トナーが混合された特色のトナー像ＴＳＰを形成する（ステップ１０７）。
【０１１１】
特色画像形成装置２において、中間転写ベルト２１上に重ね合わせた状態で形成されたトナー像は、図１１（ｂ）に示されるように、二次転写位置Ｔ２において、記録用紙５上に転写され定着される。
【０１１２】
その際、制御装置１００の制御部１０１は、ステップ１０７において、記録用紙５上にプリントされる画像を最終の特色画像としても良いし、或いはステップ１０２に戻って特色画像の色を特色検知手段７０によって再度検出して、特色画像の色彩及び光沢度が許容範囲内であるか否かを再度判断した後、許容範囲内である場合は、もう一度特色（ＳＰ）に補正色を加えた画像を形成するように構成しても良い。
【０１１３】
このように、上記実施の形態に係る特色画像形成装置２によれば、イエロー（Ｙ），オレンジ（ＯＲ）及び透明（ＣＬＲ）の各トナーを混合した混合トナーで現像を行う場合に、特色画像の色を特色検知手段７０によって検知し、第２の作像装置１０（Ｙ，ＣＬＲ，ＯＲ）によって補正画像を形成することで特色画像の色の変動を調整することが可能となる。
【０１１４】
[実施の形態２]
図１２は、実施の形態２に係る画像形成システムの全体の概略を示している。この画像形成システム１は、第１の像形成手段を有する第１の画像形成装置の一例としての特色画像形成装置２と、第２の像形成手段を有し、特色画像形成装置２から搬出された記録媒体が搬入される第２の画像形成装置の一例としての画像形成装置３と、を備え、画像形成装置３において、色のずれ量に応じた画像が重ねられるように構成されている。
【０１１５】
また、この実施の形態２では、特色画像形成装置２から搬出される記録用紙５に形成された混合現像剤の画像の検知結果に基づいて、画像形成装置３で画像を形成するよう構成されている。
【０１１６】
さらに、この実施の形態２では、混合現像剤を構成する各色の現像剤に対して、それぞれ設置された第２の像形成手段を有するように構成されている。
【０１１７】
特色画像形成装置２は、図１２に示されるように、金（Ｇ）、銀（ＳＩ）、特色（ＳＰ）、白（Ｗ）の４つの作像装置１０（Ｇ，ＳＩ，ＳＰ，Ｗ）を有している。特色（ＳＰ）の作像装置１０ＳＰは、イエロー（Ｙ），オレンジ（ＯＲ）及び透明（ＣＬＲ）の各トナーを混合した混合トナーからなる特色（ＳＰ）の画像を形成する。金（Ｇ）、銀（ＳＩ）及び白（Ｗ）の３つの作像装置１０（Ｇ，ＳＩ，Ｗ）は、カスタムカラーの画像を形成するものである。これらの金（Ｇ）、銀（ＳＩ）及び白（Ｗ）の３つの作像装置１０（Ｇ，ＳＩ，Ｗ）で形成される金（Ｇ）、銀（ＳＩ）及び白（Ｗ）の各色の画像は、他の画像と重ね合わせて使用されることは稀であり、主に単独で使用されて装飾的な効果を発揮する。
【０１１８】
画像形成装置３は、特色画像を構成するイエロー（Ｙ），オレンジ（ＯＲ）及び透明（ＣＬＲ）のすべてのトナー像をそれぞれ形成する３つの作像装置１０（Ｙ，ＯＲ，ＣＬＲ）と、主に文字情報などを形成すブラック（Ｋ）のトナー像を形成する作像装置１０Ｋとを備えている。
【０１１９】
特色画像形成装置２と画像形成装置３との間には、記録用紙５上に形成された特色のトナー像ＴＳＰの色を検知する検知手段の一例としての特色検知手段７０が配置されている。
【０１２０】
この実施の形態では、複数の現像剤を混合した特色の画像を形成する第１の作像装置１０ＳＰと、混合現像剤に含まれるイエロー（Ｙ），オレンジ（ＯＲ）及び透明（ＣＬＲ）のすべてのトナー像をそれぞれ形成する３つの作像装置（Ｙ，ＯＲ，ＣＬＲ）が、同一の画像形成装置ではなく、異なる特色画像形成装置２と画像形成装置３にそれぞれ配置されている。
【０１２１】
画像形成装置３の制御装置１００は、特色検知手段７０の検知結果に基づいて、イエロー（Ｙ），オレンジ（ＯＲ）及び透明（ＣＬＲ）の３つの作像装置１０（Ｙ，ＯＲ，ＣＬＲ）における補正画像の形成動作を制御する。
【０１２２】
また、画像形成装置３では、補正画像以外に、ブラック（Ｋ）の作像装置１０Ｋにおいて文字画像などを形成することが可能となる。
【０１２３】
[実施の形態３]
図１３は、実施の形態３に係る画像形成システムの全体の概略を示している。この画像形成システム１は、実施の形態２と同様に、第１の像形成手段を有する第１の画像形成装置の一例としての特色画像形成装置２と、第２の像形成手段を有し、特色画像形成装置２から搬出された記録媒体が搬入される第２の画像形成装置の一例としての画像形成装置３とを備えている。
【０１２４】
ただし、画像形成装置３は、混合現像剤に含まれる複数の現像剤のうち、予め定められた特定の色であるイエロー（Ｙ）のみに対して設けられた第２の像形成手段としてのイエロー（Ｙ）の作像装置１０Ｙを有している。
【０１２５】
また、この実施の形態３では、混合現像剤を構成する複数の現像剤の中で現像時に消費されにくい現像剤のみに対して設けられた第２の像形成手段を有するよう構成されている。
【０１２６】
更に説明すると、混合現像剤を構成する複数の現像剤であるイエロー（Ｙ），オレンジ（ＯＲ）及び透明（ＣＬＲ）の３つのトナーの中で、イエロー（Ｙ）のトナーが現像時に消費されにくい傾向がある。
【０１２７】
その理由は、上述したように、イエロー（Ｙ）の顔料がオレンジ（ＯＲ）の顔料に比較して帯電性が低い傾向があるため、イエロー（Ｙ）のトナーは、オレンジ（ＯＲ）のトナーに比較して現像性が低く、消費されにくい傾向がある。
【０１２８】
そのため、この画像形成システム１では、図１３に示されるように、画像形成装置３において、イエロー（Ｙ），オレンジ（ＯＲ）及び透明（ＣＬＲ）の３つのトナーの中で、トナーが現像時に消費されにくい傾向があるイエロー（Ｙ）の作像装置１０Ｙのみを備えている。
【０１２９】
画像形成装置３は、補正画像を形成するために、現像時に消費されにくい傾向があるイエロー（Ｙ）の作像装置１０Ｙのみを備えており、オレンジ（ＯＲ）及び透明（ＣＬＲ）の作像装置に代えて、マゼンタ（Ｍ）及びシアン（Ｃ）の作像装置を、更にはブラック（Ｋ）の作像装置１０Ｋを有しており、結果的にフルカラー画像形成装置を構成している。
【０１３０】
その結果、この画像形成システム１では、画像形成装置３でイエロー（Ｙ）の補正画像以外にフルカラー画像を形成することが可能となっており、大幅に汎用性の高い画像形成システムを構成している。
【０１３１】
また、この実施の形態３では、消費されにくい現像剤が消費されにくいように、制御部が第１の像形成手段における現像条件を制御するよう構成されている。
【０１３２】
更に説明すると、この実施の形態３では、消費されにくい現像剤が消費されにくいように、予め特色の作像装置１０ＳＰの現像装置１４において、消費されにくいイエロー（Ｙ）のトナーの混合比を低く設定して、イエロー（Ｙ）のトナーが消費されにくいように構成しても良い。
【０１３３】
この場合であっても、イエロー（Ｙ）の画像は、画像形成装置３で補正されるため問題が生じることはない。
【０１３４】
なお、この実施の形態３では、混合現像剤を構成する複数の現像剤の中で現像時に消費されにくい現像剤のみに対して設けられた第２の像形成手段を有するように構成した場合について説明したが、これに限定されるものではなく、混合現像剤を構成する複数の現像剤の中で現像時に消費されやすい現像剤のみに対して設けられた第２の像形成手段を有するように構成しても良い。
【０１３５】
この場合には、消費されやすい現像剤が消費されやすいように第１の像形成手段における現像条件を制御する制御部を有するように構成することができる。
【０１３６】
その他の構成及び作用は、前記実施の形態と同様であるので、その説明を省略する。
【０１３７】
[実施の形態４]
この実施の形態４に係る画像形成システム１では、特色の作像装置１０ＳＰにおいて、イエロー（Ｙ），オレンジ（ＯＲ）及び透明（ＣＬＲ）の３つのトナーからなる特色の画像が、本来の色彩と同じ場合であっても、色のついた記録用紙５を使用する場合などに合せて、記録用紙５上に形成されるイエロー（Ｙ），オレンジ（ＯＲ）及び透明（ＣＬＲ）の３つのトナーを混合し混合色からなる画像の色を、若干ではあるが異なる色に補正するように構成されている。
【０１３８】
この実施の形態４においては、イエロー（Ｙ），オレンジ（ＯＲ）及び透明（ＣＬＲ）の３つのトナーを混合した混合色からなる画像が本来の色であっても、白以外の色のついた記録用紙５に形成した場合には、記録用紙５の色彩との関係で本来の特色画像と異なる色と認識される場合を回避することができる。
【０１３９】
その他の構成及び作用は、前記実施の形態と同様であるので、その説明を省略する。
【０１４０】
なお、前記実施の形態では、所謂電子写真方式の画像形成装置に適用した場合について説明したが、これに限定されるものではなく、インクジェット方式の画像形成装置に対しても同様に適用することができることは勿論である。
【符号の説明】
【０１４１】
１…画像形成システム
２…特色画像形成装置
１０Ｙ…イエローの作像装置
１０ＣＬＲ…透明の作像装置
１０ＯＲ…オレンジの作像装置
７０…特色検知手段
１００…制御装置
１０１…制御部
【図１】
2020086279.tif 000003
【図２】
2020086279.tif 000004
【図３】
2020086279.tif 000005
【図４】
2020086279.tif 000006
【図５】
2020086279.tif 000007
【図６】
2020086279.tif 000008
【図７】
2020086279.tif 000009
【図８】
2020086279.tif 000010
【図９】
2020086279.tif 000011
【図１０】
2020086279.tif 000012
【図１１】
2020086279.tif 000013
【図１２】
2020086279.tif 000014
【図１３】
2020086279.tif 000015